(57)【要約】  本開示の発電装置は、吸着体を有し、始点から終点に向かって移動する起動部と、振動することによって発電する片持ち梁状の発電部と、を有する。そして、前記起動部が前記始点から前記終点に向かって移動する時、前記吸着体が前記発電部を吸着し、前記起動部の前記吸着体と前記発電部とが吸着しながら前記終点に向かって移動することで、前記発電部は、撓み、かつ、傾き、前記吸着体が前記発電部から離脱することで、前記吸着体は振動を開始し、前記吸着体は、前記発電部の傾きに沿う方向に傾く。
2018100859.tif 000002
【特許請求の範囲】
【請求項１】
吸着体を有し、始点から終点に向かって移動する起動部と、
振動することによって発電する片持ち梁状の発電部と、
を備え
前記起動部が前記始点から前記終点に向かって移動する時、前記吸着体が前記発電部を吸着し、
前記起動部の前記吸着体と前記発電部とが吸着しながら前記終点に向かって移動することで、前記発電部は、撓み、かつ、傾き、
前記吸着体が前記発電部から離脱することで、前記吸着体は振動を開始し、
前記吸着体は、前記発電部の傾きに沿う方向に傾く、
発電装置。
【請求項２】
前記起動部は、
前記吸着体よりも前記発電部の固定端に近い側に第一の回転支点を有し、
前記起動部の前記吸着体は、
前記起動部が前記始点から前記終点に向かって移動する時、前記起動部が前記第一の回転支点を中心に回動することで、前記発電部の傾きに沿う方向に傾く、
請求項１記載の発電装置。
【請求項３】
前記起動部は、第二の回転支点を有し、
前記吸着体は、前記第二の回転支点を中心に回動する、
請求項１記載の発電装置。
【請求項４】
前記第二の回転支点は、前記起動部に設けられた突起部、または、前記起動部に設けられた段差部の先端である、
請求項３記載の発電装置。
【請求項５】
前記吸着体は、前記発電部側に形成された吸着面を有し、
前記第二の回転支点は、前記起動部に設けられ、
前記第二の回転支点は、前記吸着面に当接する、
請求項４記載の発電装置。
【発明の詳細な説明】
【技術分野】
【０００１】
本開示は、自立型の電子機器等に用いられる発電装置に関する。
【背景技術】
【０００２】
以下、従来の発電装置について説明する。従来の発電装置は、起動部と、吸着体と、片持ち梁状の発電部を含む。発電部は、振動することによって発電する。吸着体は、起動部に結合されており、起動部に連動する。そして起動部は、始点に位置した状態で、発電部と磁力によって吸着されている。起動部は、初期状態の発電部と直交する方向（以下、単に直交方向）へ移動する。これにより、吸着体も起動部と同じ方向へと移動する。すなわち、発電部は、吸着体の移動に伴って撓む。そして、起動部が終点へ移動すると、吸着体と発電部との吸着が外れる。そして、発電部が吸着体から離脱することで、発電部は振動を開始する。なお、この出願の開示に関連する先行技術文献情報としては、例えば、特許文献１が知られている。
【先行技術文献】
【特許文献】
【０００３】
【特許文献１】特開２００６−１５８１１３号公報
【発明の概要】
【０００４】
本開示の一態様の発電装置は、吸着体を有し、始点から終点に向かって移動する起動部と、振動することによって発電する片持ち梁状の発電部と、を有する。そして、前記起動部が前記始点から前記終点に向かって移動する時、前記吸着体が前記発電部を吸着し、前記起動部の前記吸着体と前記発電部とが吸着しながら前記終点に向かって移動することで、前記発電部は、撓み、かつ、傾き、前記吸着体が前記発電部から離脱することで、前記吸着体は振動を開始し、前記吸着体は、前記発電部の傾きに沿う方向に傾く。
【図面の簡単な説明】
【０００５】
【図１Ａ】本開示の実施の形態における発電装置の模式図
【図１Ｂ】本開示の実施の形態における発電装置の斜視図
【図２Ａ】本開示の実施の形態における起動部の斜視図
【図２Ｂ】本開示の実施の形態における保持部の要部拡大断面図
【図３】本開示の実施の形態の他の例の保持部の要部拡大断面図
【図４Ａ】本開示の実施の形態の発電装置の動作を説明する図
【図４Ｂ】本開示の実施の形態の発電装置の動作を説明する図
【図４Ｃ】本開示の実施の形態の発電装置の動作を説明する図
【図４Ｄ】本開示の実施の形態の発電装置の動作を説明する図
【図５Ａ】本開示の実施の形態の発電装置の動作を説明する図
【図５Ｂ】本開示の実施の形態の発電装置の動作を説明する図
【図５Ｃ】本開示の実施の形態の発電装置の動作を説明する図
【図６Ａ】本開示の実施の形態の発電装置の動作を説明する図
【図６Ｂ】本開示の実施の形態の発電装置の動作を説明する図
【図６Ｃ】本開示の実施の形態の発電装置の動作を説明する図
【図７】本開示の実施の形態の変形例１の発電装置の概念図
【図８】本開示の実施の形態の変形例２の発電装置の概念図
【発明を実施するための形態】
【０００６】
以下、発電装置の実施形態について図面を参照して説明する。なお、実施の形態において同じ符号を付した構成要素は同様の動作を行うので、再度の説明を省略する場合がある。
【０００７】
本実施の形態において、「前」、「後」、「幅方向」、「長さ方向」等の方向を示す用語については、相対的な位置関係を示しているだけであり、それに限定されるものではない。
【０００８】
（実施の形態１）
［発電装置１１の構成］
図１Ａは、発電装置１１の模式図である。図１Ｂは、発電装置１１の斜視図である。以下、発電装置１１について、図１Ａおよび図１Ｂを参照しながら説明する。発電装置１１は、起動部２１、発電部２２を有している。発電部２２は、片持ち梁状である。そして、発電部２２は、起動部２１が移動することによって振動を開始し、発電する。起動部２１は、吸着体２１１を有している。そして、起動部２１が移動すると、吸着体２１１の吸着面２１１１は、始点から終点に向って移動する。
【０００９】
吸着体２１１が始点から終点に向かって移動する時、吸着体２１１は発電部２２を磁力によって吸着する。吸着体２１１が発電部２２を吸着しながら終点に向かって移動すると、発電部２２は撓む。発電部２２が撓むことで、発電部２２は傾く。そして、吸着体２１１が終点に向かって更に移動すると、途中で、吸着体２１１は発電部２２から離脱する。この吸着体２１１の離脱によって、発電部２２は振動し始める。そして、起動部２１の吸着体２１１は、発電部２２の傾きに沿う方向に傾くように構成されている。
【００１０】
以上の構成により、起動部２１が移動するのに応じて、起動部２１の吸着体２１１は発電部２２の傾きに沿う方向に傾く。よって、吸着体２１１の移動にともなって、吸着体２１１と発電部２２との接触面積が減少するのを抑制できる。
【００１１】
つまり、本開示の発電装置１１は、発電部２２と吸着体２１１とが吸着している状態における、発電部２２と吸着体２１１との間での吸着力のばらつきを小さくできる。同時に、発電部２２と吸着体２１１とが離脱する時の位置のばらつきを抑制できる。よって、発電装置１１では、発電部２２の振幅幅を安定させ、発電部２２の発電量を安定させることができる。
【００１２】
［発電装置１１の構成の具体例］
以下、発電装置１１の具体的な構成について図１Ａ〜図３を参照しながら詳細に説明する。発電装置１１は、図１Ａに示すようにケース２３を含んでいても良い。起動部２１と発電部２２は、ケース２３内に収納されている。ただし、起動部２１の先端部は、ケース２３を貫通して、ケース２３から外部に向かって突出している。
【００１３】
発電部２２は、たとえば金属板の表面などに圧電素子膜を形成することで構成されている。発電部２２の金属板（梁部２２２）は、弾性部材によって形成されている。発電部２２に用いる金属板（梁部２２２）としては、たとえばステンレスがある。発電部２２は、片持ち梁状であり、根元部２２２１（固定端）でケース２３に固定されている。なお、発電部２２とケース２３との間に発電部２２の振幅以上の大きさの空隙が存在するように発電部２２はケース２３内に配置されている。発電部２２の根元部２２２１とケース２３の上面との間に、スペーサ部２３１などが設けられている。スペーサ部２３１は、ケース２３と一体に形成することが好ましい。なお、スペーサ部２３１は、ケース２３と別々の部品として構成しても良い。発電部２２はスペーサ部２３１を介してケース２３の内部に固定されている。
【００１４】
吸着体２１１は発電部２２側に吸着面２１１１を有している。吸着面２１１１は、発電部２２に磁力によって吸着される。発電部２２が磁性体材料によって形成されている場合、吸着体２１１が磁石であることが好ましい。本実施の形態の発電装置１１においては、発電部２２は吸着体２２１を含む。なお、発電部２２は、吸着体２２１を含むことが好ましい。吸着体２２１は、発電部２２の起動部２１側に吸着面２２１１を有している。そして、吸着面２２１１は、吸着面２１１１と対向する位置に配置されている。吸着体２２１は、磁性体材料によって形成される。これにより、吸着体２１１の吸着面２１１１は、吸着体２２１の吸着面２２１１へ吸着される。この構成により、吸着体２１１が装着された範囲の発電部２２は、曲がりにくくなる。したがって、吸着面２１１１は吸着面２２１１と隙間なく吸着する。
【００１５】
なお、上述した実施の形態では、吸着体２２１が磁性体材料で形成されているが、この構成に限られない。吸着体２１１および吸着体２２１の両方が磁石であっても良い。但し、この場合、吸着体２２１の磁極と吸着体２１１の磁極とは、異なる極が対向するように配置される必要がある。
【００１６】
別の構成として、吸着体２２１が磁石であって、吸着体２１１が磁性体材料によって形成されても良い。
【００１７】
図２Ａは、起動部２１の斜視図である。図２Ａには部分拡大図も示している。
【００１８】
なお、図２Ａが示す向きは、図１Ｂが示す向きとは異なっている。保持部２１４には、起動部２１の吸着体２１１が配置されるが、図２Ａでは、保持の構成を分かり易くするため、吸着体２１１は図示していない。
【００１９】
図２Ｂは、図２Ａに示す起動部２１の要部における幅方向の断面の概略図である。図２Ｂでは保持部２１４が吸着体２１１を保持している。また、吸着体２１１と吸着体２２１とが吸着している。
【００２０】
図２Ａに示すように、起動部２１は第一の回転支点２１２を有することが好ましい。この構成により、起動部２１は、第一の回転支点２１２を中心として回動する。したがって、吸着体２１１は、起動部２１の移動の際に、第一の回転支点２１２を中心として回動する。なお、起動部２１は、第一の回転支点２１２を支点として回動する構成としたが、この構成に限られず、起動部２１の一方を固定端とした片持ち梁としても良い。これらの場合、起動部２１の固定端（図示せず）または第一の回転支点２１２（以下、総称して支点）は、吸着体２１１よりも発電部２２の根元に近い側に配置されていることが好ましい。この構成により、起動部２１が始点から終点に向かって（図１Ａでは上方から下方に向かって）移動すると、吸着体２１１は、発電部２２の傾きに沿う方向に傾くように回動することができる。
【００２１】
なお、起動部２１の吸着体２１１と第一の回転支点２１２との間は、一直線に伸びた棒状であることが好ましい。一方、起動部２１の吸着体２１１から先端側は、適宜、操作者あるいは操作物によって操作しやすい形状に成形されていれば良い。さらに、起動部２１は、カム機構または、クランク機構などの変換機構を含んでいても良い。これらの構成では、起動部２１の移動方向が逆になるように構成することができる。つまり、始点を図面の下方とし、終点を図面の上方にすることができる。吸着体２１１を回動させ、起動部２１の先端部は直線状に移動するような構成にすることもできる。
【００２２】
起動部２１は、さらに第二の回転支点２１３を含むことが好ましい。図３は、図２Ａに示す起動部２１の要部における長さ方向の断面の概略図である。第二の回転支点２１３は、吸着体２１１を回転可能なように起動部２１に形成すれば良い。そして、吸着体２１１は、第二の回転支点２１３を中心に回動する。そのために、起動部２１に保持部２１４を設けることが好ましい。保持部２１４は、吸着体２１１を保持する。そして、保持部２１４に第二の回転支点２１３が形成されている。この構成により、吸着体２１１は、保持部２１４内で、第二の回転支点２１３を支点として回動する。
【００２３】
以上の構成により、吸着体２１１は、起動部２１の移動に応じて、第二の回転支点２１３を支点として回動して、発電部２２の傾きに沿う方向に傾く。したがって、吸着体２１１の移動の際に、吸着体２１１と発電部２２とが接触する面積の減少を抑制できる。発電部２２と吸着体２１１とが吸着している状態において、発電部２２と吸着体２１１との間での吸着力のばらつきを小さくできる。その結果、発電部２２の吸着体２１１から離脱する位置のばらつきを抑制できるので、発電部２２の振幅幅が安定し、発電部２２での発電量を安定させることができる。
【００２４】
また、図２Ｂに示す通り、吸着体２１１の両端部は、幅方向において発電部２２の梁部２２２および吸着体２２１から突出している。
【００２５】
そして、吸着体２１１の両端部は、保持部２１４にまで伸びている。そして、吸着体２１１と吸着体２２１とが吸着されている状態で、第二の回転支点２１３は、吸着体２１１の両端部に当接している。この状態において、吸着体２２１は、吸着体２１１の中央部に吸着している。
【００２６】
なお、第二の回転支点２１３は、吸着体２１１が回動可能なように起動部２１に形成されていれば良い。第二の回転支点２１３は、吸着体２１１の吸着面２１１１に当接するように配置されているが、この構成に限られない。第二の回転支点２１３は、吸着面２１１１とは反対側の吸着体２１１の面に当接するように配置されても良い。さらには、第二の回転支点２１３は、吸着体２１１に形成されていても構わない。ただし、第二の回転支点２１３は、吸着面２２１１の傾きに沿うように吸着体２１１が回動できるように構成する必要がある。第二の回転支点２１３よりも発電部２２の固定端に近い側に、吸着体２１１が回転できるための空隙を設けている。そして、吸着体２１１が第二の回転支点２１３を支点として回動する際、吸着体２１１における第二の回転支点２１３よりも発電部２２の固定端に近い側が、空隙に入り込む。
【００２７】
[第二の回転支点２１３の別の例]
次に、第二の回転支点２１３の別の構成について説明する。上述した図２Ａに示す保持部２１４の構成では、第二の回転支点２１３は、突起によって形成されている。一方、図３に示す起動部２１に形成されている第二の回転支点２１３は段差部によって形成されている。
【００２８】
図３は、保持部２１４の長さ方向の断面を示す概念図である。第二の回転支点２１３は、先端部で吸着面２１１１に当接していることが好ましい。この構成により、吸着体２１１は、突起または段差部の先端部を中心として回動できる。
【００２９】
[ケース２３の構成]
ケース２３は、図１Ａに示すように、さらに引き剥がし部２３２を含むことが好ましい。引き剥がし部２３２は、起動部２１の移動によって発電部２２が撓んだ際に、引き剥がし部２３２の先端２３２１が発電部２２に当たって、起動部２１を発電部２２から離脱させる。この構成により、発電部２２が起動部２１からの離脱する点のばらつきをさらに抑制できる。
【００３０】
[発電装置１１の発電動作]
次に、発電装置１１が発電する動作について図４Ａ〜図６Ｃを参照しながら、説明する。図４Ａ〜図４Ｄと、図５Ａ〜図５Ｃ、および図６Ａ〜図６Ｃは、発電装置１１の動作説明図である。なお、同様の構成については同じ符号を付して説明を省略する場合がある。
【００３１】
まず、図４Ａ〜図４Ｄを参照しながら、第一の回転支点２１２に係る起動部２１の動作について説明する。図４Ａは、起動部２１が始点に位置している状態を示している。この状態では、吸着体２２１は吸着体２１１に吸着されている。すなわち、吸着面２１１１と吸着面２２１１とは、接触している。
【００３２】
図４Ｂは、起動部２１が始点から終点方向へ向かって移動している状態を示しており、起動部２１が発電部２２からの離脱する前の状態を示している。以下、起動部２１が発電部２２から離脱する点を『離脱点』と表す。つまり、図４Ｂは離脱点より前の状態を示している。起動部２１は、第一の回転支点２１２を中心として、始点から終点に向かって回動しながら移動する。この時、吸着体２１１と吸着体２２１は吸着したままの状態で移動する。よって、吸着体２２１は、吸着体２１１とともに終点方向へ向かって移動する。発電部２２は片持ち梁であるので、発電部２２の自由端側（図４Ａでは左側に相当）に撓みが生じて、吸着面２２１１に傾きが生じる。一方、吸着体２１１は、起動部２１の第一の回転支点２１２を中心に回動できる。したがって、吸着面２１１１は、吸着面２２１１の傾きに沿う方向へと回動する。つまり、吸着面２１１１も、傾いた状態となる。
【００３３】
図４Ｃは、起動部２１と発電部２２との離脱点を示している。起動部２１が始点から終点へと向う途中で、発電部２２が引き剥がし部２３２の先端２３２１に当たる。すなわち、発電部２２は、引き剥がし部２３２によって、発電部２２がさらに終点方向へと移動することが阻止される。一方、起動部２１は、離脱点を越えて、終点まで移動できる。起動部２１が離脱点を越えて移動することによって、吸着体２１１と吸着体２２１との吸着状態は解除される。その後、発電部２２が起動部２１から離脱することで、発電部２２は振動し始める。発電部２２が振動することで、発電部２２が発電を開始する。
【００３４】
図４Ｄは、起動部２１が終点に位置している状態を示している。この状態において、発電部２２は自由振動を継続し、その後、徐々に振動の振幅が減衰する。この間も、吸着体２１１と吸着体２２１との間には、磁力によって吸引力が発生している。そして、起動部２１への操作（起動部２１が終点に向かって押される力）が解除されると、吸着体２１１と吸着体２２１との間の吸引力によって、吸着体２１１（起動部２１）と吸着体２２１（発電部２２）は互いに吸着する。この構成により、起動部２１は終点から始点へと復帰し、図４Ａに示す初期状態へと戻る。吸着体２１１と吸着体２２１との吸着状態が引き剥がし部２３２によって解消されても、吸着体２１１は吸着体２２１に吸引されているので、吸着体２１１が落下することは、抑制される。
【００３５】
［第二の回転支点の詳細説明］
次に、図５Ａ〜図５Ｃと、図６Ａ〜図６Ｃを参照しながら、第二の回転支点２１３による動作を説明する。図５Ａ〜図５Ｃは、起動部２１の状態に応じて、吸着体２１１が、第二の回転支点２１３を支点として回動する動作を説明する図である。図６Ａ〜図６Ｃは、起動部２１の状態に応じた吸着体２１１と吸着体２２１との傾きと、吸着状態を説明する図である。起動部２１が始点に位置している状態を図５Ａ、図６Ａに示している。図５Ａ、図６Ａに示す状態では、図４Ａに示すように吸着体２２１は、吸着体２１１に吸着されている。すなわち、吸着面２１１１と吸着面２２１１とは、接触している。
【００３６】
また、図５Ａ〜図５Ｃは、起動部２１の幅方向の端部における長さ方向の断面図である。図２Ｂに示すように、吸着体２１１の幅は吸着体２２１より広い。よって、図５Ａ〜図５Ｃに示す断面図には、図３と同様、吸着体２１１は開示されるが、吸着体２２１は開示されない。
【００３７】
図５Ｂおよび図６Ｂは、図４Ｂと同じタイミングでの状態を示している。また、図５Ｃ、図６Ｃは、図４Ｃと同じタイミングでの状態を示している。図４Ｂの状態および図４Ｃの状態において、吸着面２２１１は、傾いた状態になっている。一方、吸着体２１１は、第二の回転支点２１３を支点として回動できる。したがって、吸着面２１１１が第二の回転支点２１３を支点として回動している。つまり、吸着面２１１１は、吸着面２２１１の傾きに沿う方向に傾いた状態になっている。従って、起動部２１が始点から離脱点まで移動する間、吸着面２１１１と吸着面２２１１とが吸着した状態が維持される。従って、発電装置１１は、吸着体２１１と吸着体２２１との吸着力のばらつきなどの発生が抑制される。また、発電装置１１は、起動部２１と発電部２２とが離脱する位置(離脱点)のばらつきも小さくできる。その結果、発電部２２の振幅のばらつきを小さくできるので、発電部２２は発電量のばらつきを小さくできる。
【００３８】
（実施の形態の変形例１）
図７は、他の例の起動部３１を用いた発電装置１２の概念図である。発電装置１２は、図１Ａに示す起動部２１に代えて、起動部３１を用いることができる。図１Ａに示す起動部２１は回動する構成であるが、起動部３１は直線状に移動する。この点が、起動部２１と異なっている。この場合、起動部３１が、第二の回転支点２１３（図５Ａなど参照）を有している。そして、起動部３１と図１Ａに示す起動部２１は、吸着体２１１を第二の回転支点２１３を中心に回動させる構成で同様である。
【００３９】
以上の構成により、直線的に移動する起動部３１においても、起動部３１の移動に応じて、吸着体２１１は吸着体２２１の傾きに沿う方向に傾く。したがって、起動部３１の移動の際に、吸着体２１１と吸着体２２１とが接触する面積の減少を抑制できる。したがって、吸着体２２１と吸着体２１１とが吸着されている状態での、吸着体２２１と吸着体２１１との間での吸着力のばらつきを小さくできる。その結果、吸着体２２１が吸着体２１１から離脱する位置のばらつきを抑制できるので、発電部２２の振幅幅が安定し、発電部２２での発電量を安定させることができる。
【００４０】
（実施の形態の変形例２）
図８は、さらに他の例の起動部４１を用いた発電装置の概念図である。なお、図８は、起動部４１が始点に位置している状態を示している。発電装置１３は、図１Ａに示す起動部２１に代えて、起動部４１を用いることができる。なお、起動部４１は、吸着体２１１を含んでいる。そして、吸着体２１１の吸着面２１１１が、吸着面２２１１と吸着することは、他の実施の形態と同様である。起動部４１の吸着体２１１は、第一の回転支点２１２によってのみ回動する。また、起動部４１は、ヨーク４１４を含んでいる。ヨーク４１４は、吸着体２１１の吸着面２１１１とは反対側の面（面２１１２）に結合されている。この構成により、吸着体２２１と吸着体２１１との吸着力が向上する。
【００４１】
ヨーク４１４は、さらにＬ字型に折れ曲がって伸びた折れ曲がり部４１４１を含んでいる。そして、折れ曲がり部４１４１の一部は、吸着体２２１における発電部２２の先端側の面（側面２２１２）と対向するように配置されている。この構成により、吸着体２２１と吸着体２１１との間の吸着力を向上できる。
【００４２】
なお、本開示は、上述した実施の形態に限定されることなく、種々の変更が可能であり、それらも本開示の範囲内に包含されるものであることは言うまでもない。
【００４３】
また、『幅方向』、『長さ方向』などの方向を示す用語は、実施の形態を理解しやすいように用いただけであり、相対的な位置関係を示しているだけである。
【００４４】
（まとめ）
本開示の発電装置は、吸着体２１１を有し、始点から終点に向かって移動する起動部２１と、振動することによって発電する片持ち梁状の発電部２２と、を有する。そして、起動部２１が始点から終点に向かって移動する時、吸着体２１１が発電部２２（吸着体２２１）を吸着する。起動部２１の吸着体２１１と発電部２２（吸着体２２１）とが吸着しながら終点に向かって移動することで、発電部２２は、撓み、かつ、傾く。吸着体２１１が発電部２２(吸着体２２１)から離脱することで、吸着体２２１は振動を開始する。吸着体２１１は、発電部２２(吸着体２２１)の傾きに沿う方向に傾く。
【００４５】
なお、上述した本実施の形態の発電部２２は、吸着体２２１と梁部２２２を別の部材で形成しているが、必ずしも別部材で形成する必要はない。
【００４６】
また、本開示の発電装置においては、起動部２１が、吸着体２１１よりも発電部２２の固定端に近い側に第一の回転支点２１２を有していても良い。起動部２１の吸着体２１１は、起動部２１が始点から終点に向かって移動する時、起動部２１が第一の回転支点２１２を中心に回動することで、発電部２２（吸着体２２１）の傾きに沿う方向に傾く。
【００４７】
更に、本開示の発電装置においては、起動部２１が、第二の回転支点２１３を有し、吸着体２１１が、第二の回転支点２１３を中心に回動するように構成しても良い。
【００４８】
なお、第二の回転支点２１３は、起動部２１に設けられた突起部、または、起動部２１に設けられた段差部の先端、であっても良い。
【００４９】
そして、吸着体２１１は、発電部２２側に形成された吸着面２１１１を有し、第二の回転支点２１３は、起動部２１に設けられ、第二の回転支点２１３は、吸着面２１１１に当接する。
【産業上の利用可能性】
【００５０】
以上のように、本開示にかかる発電装置は、発電部の発電量を安定させることができるという効果を有し自立型の電子機器等に用いると有用である。
【符号の説明】
【００５１】
１１，１２，１３  発電装置
２１，３１，４１  起動部
２２  発電部
２３  ケース
２１１，２２１  吸着体
２１２  第一の回転支点
２１３  第二の回転支点
２１４  保持部
２２２  梁部
２３１  スペーサ部
２３２  引き剥がし部
４１４  ヨーク
２１１１，２２１１  吸着面
２１１２  面
２２１２  側面
２２２１  根元部
２３２１  先端
４１４１  折れ曲がり部
【図１Ａ】
2018100859.tif 000003
【図１Ｂ】
2018100859.tif 000004
【図２Ａ】
2018100859.tif 000005
【図２Ｂ】
2018100859.tif 000006
【図３】
2018100859.tif 000007
【図４Ａ】
2018100859.tif 000008
【図４Ｂ】
2018100859.tif 000009
【図４Ｃ】
2018100859.tif 000010
【図４Ｄ】
2018100859.tif 000011
【図５Ａ】
2018100859.tif 000012
【図５Ｂ】
2018100859.tif 000013
【図５Ｃ】
2018100859.tif 000014
【図６Ａ】
2018100859.tif 000015
【図６Ｂ】
2018100859.tif 000016
【図６Ｃ】
2018100859.tif 000017
【図７】
2018100859.tif 000018
【図８】
2018100859.tif 000019
【手続補正書】
【提出日】平成31年3月11日(2019.3.11)
【手続補正１】
【補正対象書類名】明細書
【補正対象項目名】０００４
【補正方法】変更
【補正の内容】
【０００４】
本開示の一態様の発電装置は、吸着体を有し、始点から終点に向かって移動する起動部と、振動することによって発電する片持ち梁状の発電部と、を有する。そして、前記起動部が前記始点から前記終点に向かって移動する時、前記吸着体が前記発電部を吸着し、前記起動部の前記吸着体と前記発電部とが吸着しながら前記終点に向かって移動することで、前記発電部は、撓み、かつ、傾き、前記吸着体が前記発電部から離脱することで、前記発電部は振動を開始し、前記吸着体は、前記発電部の傾きに沿う方向に傾く。
【手続補正２】
【補正対象書類名】特許請求の範囲
【補正対象項目名】請求項１
【補正方法】変更
【補正の内容】
【請求項１】
吸着体を有し、始点から終点に向かって移動する起動部と、
振動することによって発電する片持ち梁状の発電部と、
を備え
前記起動部が前記始点から前記終点に向かって移動する時、前記吸着体が前記発電部を吸着し、
前記起動部の前記吸着体と前記発電部とが吸着しながら前記終点に向かって移動することで、前記発電部は、撓み、かつ、傾き、
前記吸着体が前記発電部から離脱することで、前記発電部は振動を開始し、
前記吸着体は、前記発電部の傾きに沿う方向に傾く、
発電装置。
【国際調査報告】
2018100859.tif 000020
2018100859.tif 000021